(57)【要約】【課題】ユーザとの対話形式によりテレビ画面設定におけるインターレース／プログレッシブの設定およびアスペクト比の設定を行うことができる映像信号出力装置を提供する。【解決手段】ＴＶ画面設定がされていなくてテレビ設定済フラグが立っていなく、Ｄ端子接続判別ポートがローレベルである場合、最初は、ｉ／ｐ選択画面が、プログレッシブ方式の表示装置に表示されるが、インターレース方式の表示装置には表示されない。ｉ／ｐ選択画面に対する処理が完了した場合、あるいはＤ端子接続判別ポートがハイレベルでＤ端子接続されていない場合は、アスペクト比設定画面が表示され、この設定が終了すると、ＴＶ画面設定済フラグが立てられ、再度、ＴＶ画面設定を実行しなくても良い。【選択図】図２
2007134944.tif 000002
【特許請求の範囲】
【請求項１】
入力された映像信号をインターレース方式の映像信号またはプログレッシブ方式の映像信号に変換する映像信号変換回路と、この映像信号変換回路により変換された映像信号を表示装置に出力する映像出力回路とを備えた映像信号出力装置において、
前記表示装置のテレビ画面設定に対応させるためインターレース／プログレッシブ設定およびアスペクト比設定の処理を対話形式で行う際、テレビ画面設定が完了したことを示すテレビ画面設定済フラグが立っていなく、前記表示装置のＤ端子対応ビデオ入力端子にＤ端子ケーブルを介してビデオ出力Ｄ端子が接続されていることを示すＤ端子接続判別ポートがローレベルになっている場合に、インターレース／プログレッシブ選択画面を前記表示装置に表示させるインターレース／プログレッシブ選択画面表示手段と、
前記インターレース／プログレッシブ選択画面が表示された後、所定時間内にプログレッシブ設定が選択された場合は、前記映像出力回路のビデオ出力をプログレッシブに設定し、所定時間内にプログレッシブ設定が選択されない場合は、前記映像出力回路のビデオ出力をインターレースに設定するインターレース／プログレッシブ設定手段と、
前記インターレース／プログレッシブ設定が完了した後、あるいは前記Ｄ端子接続判別ポートがハイレベルになっている場合に、前記表示装置に対するアスペクト比を設定するためのアスペクト比設定画面を前記表示装置に表示させるアスペクト比設定画面表示手段と、
前記アスペクト比の設定処理が開始して、所定時間内であればアスペクト比が１６：９のテスト映像を前記表示装置に表示させるテスト映像表示手段と、
前記テスト映像の中央に表示されている図形が円であることが選択された場合には、アスペクト比が１６：９のワイド画面に設定し、前記所定時間を超えた場合、あるいは前記テスト映像の中央に表示されている図形が楕円であることが選択された場合には、アスペクト比が４：３のレターボックス画面に設定するアスペクト比設定手段と、
前記テレビ画面設定が完了したときに、前記テレビ画面設定済フラグを立てるフラグ設定手段と、を有する制御部を備えたことを特徴とする映像信号出力装置。
【請求項２】
入力された映像信号をインターレース方式の映像信号またはプログレッシブ方式の映像信号に変換する映像信号変換回路と、この映像信号変換回路により変換された映像信号を表示装置に出力する映像出力回路とを備えた映像信号出力装置において、
前記表示装置のテレビ画面設定に対応させるためインターレース／プログレッシブ設定およびアスペクト比設定の処理を対話形式で行う際、テレビ画面設定が完了したことを示すテレビ画面設定済フラグが立っていなく、前記表示装置の所定のビデオ入力端子にケーブルを介して所定のビデオ出力端子が接続されていることを示す端子接続判別ポートが一方のレベルになっている場合に、インターレース／プログレッシブ選択画面を前記表示装置に表示させるインターレース／プログレッシブ選択画面表示手段と、
前記インターレース／プログレッシブ選択画面によりインターレース／プログレッシブ設定が完了した後、あるいは前記端子接続判別ポートが他方のレベルになっている場合に、前記表示装置に対するアスペクト比を設定するためのアスペクト比設定画面を前記表示装置に表示させるアスペクト比設定画面表示手段と、
前記アスペクト比設定画面によりアスペクト比が設定され、前記テレビ画面設定が完了したときに、前記テレビ画面設定済フラグを立てるフラグ設定手段と、を有する制御部を備えたことを特徴とする映像信号出力装置。
【請求項３】
前記表示装置の所定のビデオ入力端子にケーブルを介して所定のビデオ出力端子が接続されていることを示す端子接続判別ポートが一方のレベルになっている場合とは、前記表示装置のＤ端子対応ビデオ入力端子にＤ端子ケーブルを介してビデオ出力Ｄ端子が接続されていることを示すＤ端子接続判別ポートがローレベルになっている場合であり、前記端子接続判別ポートが他方のレベルになっている場合とは、前記Ｄ端子接続判別ポートがハイレベルになっている場合であることを特徴とする請求項２に記載の映像信号出力装置。
【請求項４】
前記制御部は、前記インターレース／プログレッシブ選択画面が表示された後、所定時間内にプログレッシブ設定が選択された場合は、前記映像出力回路のビデオ出力をプログレッシブに設定し、所定時間内にプログレッシブ設定が選択されない場合は、前記映像出力回路のビデオ出力をインターレースに設定するインターレース／プログレッシブ設定手段と、前記アスペクト比の設定処理が開始して、所定時間内であればアスペクト比が１６：９のテスト映像を前記表示装置に表示させるテスト映像表示手段と、前記テスト映像の中央に表示されている図形が円であることが選択された場合には、アスペクト比が１６：９のワイド画面に設定し、前記所定時間を超えた場合、あるいは前記テスト映像の中央に表示されている図形が楕円であることが選択された場合には、アスペクト比が４：３のレターボックス画面に設定するアスペクト比設定手段とを有することを特徴とする請求項２に記載の映像信号出力装置。
【発明の詳細な説明】
【技術分野】
【０００１】
本発明は、ハードディスクやＤＶＤ（デジタル・バーサタイル・ディスク）等の再生装置から入力された映像信号をインターレース方式の映像信号またはプログレッシブ方式の映像信号に変換する映像信号変換回路と、この映像信号変換回路により変換された映像信号をテレビジョン受像機やモニター装置などの表示装置に出力する映像出力回路とを備えた映像信号出力装置に関する。
【背景技術】
【０００２】
近年、ハードディスクやＤＶＤなどの再生装置が普及しており、大容量の映像信号をデジタル記録することが可能で、従来のビデオテープによる映像よりも、より高品質の映像を再生することが可能になった。このような再生装置を表示装置やモニター装置に接続して映像を表示するが、従来の表示装置では、インターレース方式により映像表示が行われているため、表示される映像の品質低下が生じてしまう傾向がある。インターレース方式では、映像の１フレームが５２５本の走査線からなり、奇数段の走査線と偶数段の走査線との２つのフィールドに分けて表示するようにしており、そのため映像にちらつきが生じるなどの欠点がある。
【０００３】
そこで、このような欠点に対処するために、１フレームの映像を１回で表示するプログレッシブ方式が開発され実用化されている。したがって、前記再生装置の映像信号をプログレッシブ方式のテレビジョン受像機やモニター装置で表示すれば、ちらつきのない高品質の映像を楽しむことができる。
【特許文献１】特開２００４−３５６６８８号公報
【特許文献２】特開２００３−１５３１１５号公報
【発明の開示】
【発明が解決しようとする課題】
【０００４】
ところが、前記再生装置をインターレース方式のみに対応したテレビジョン受像機やモニター装置に接続してプログレッシブ方式で映像信号を出力しても、映像が乱れて正常な表示がなされない。そこで、再生装置側でインターレース方式およびプログレッシブ方式の両方の映像信号を出力可能とする映像信号出力装置が搭載され、インターレース方式のテレビジョン受像機やモニター装置でも正常に映像表示がされるようにしている。
【０００５】
しかし、プログレッシブ方式のテレビジョン受像機やモニター装置では、プログレッシブ方式の映像信号はもちろん、インターレース方式の映像信号でも映像表示が可能であるので、ユーザが行うテレビ画面設定においてインターレース方式に設定しても映像が表示され、本来の機能のプログレッシブ方式を用いない場合がある。このような場合、プログレッシブ方式のテレビジョン受像機やモニター装置は、プログレッシブ方式に設定されていないので、ユーザは高品質の映像を楽しむことができない。
【０００６】
そこで、特許文献１の映像信号出力装置では、テレビジョン受像機に表示されたメニュー画面の中の項目「出力設定」がユーザ（操作者）により選択されたとき、テレビジョン受像機に出力設定画面を表示し、この出力設定画面で「プログレッシブ出力」を例えば１０秒以内に選択すれば、プログレッシブ方式のテレビジョン受像機では、プログレッシブ方式の映像表示が可能になり、１０秒過ぎても何も選択しないときは、「インターレース出力」が自動的に選択され、プログレッシブ方式のテレビジョン受像機およびインターレース方式のテレビジョン受像機の何れでも映像表示が可能になる。また、インターレース方式のテレビジョン受像機が接続された場合、前記出力設定画面で「プログレッシブ出力」を選択すると、画面表示が正常に行われなくなるため、確認画面は正常に表示されず、確認キーを押下することができず、１０秒過ぎると、自動的にインターレース方式に切り換えられる。
【０００７】
しかしながら、このような従来の映像信号出力装置を搭載した再生装置では、初めて使用する場合に、テレビジョン受像機やモニター装置に接続した後、電源を投入して、テレビ画面設定においてインターレース／プログレッシブの設定が行われるが、ユーザがインターレース／プログレッシブ設定を行う場合に、ユーザがリモコンを操作して、メニュー画面をテレビジョン受像機やモニター装置に表示させ、インターレース／プログレッシブ設定を行っているので、対話形式の設定ではなく、ユーザ操作が煩雑で設定に手間がかかるという課題が生じる、また、特許文献１の従来技術では、アスペクト比の設定に関しては開示されていないので、テレビ画面設定におけるアスペクト比の設定は行うことができない。
【０００８】
特許文献２の従来技術は、映像表示装置のアスペクト比の設定が変更された場合や、映像表示装置自体を変更したり切り換えたりした場合にも、映像機器で生成、出力されるＯＳＤ（オン・スクリーン・ディスプレイ）画面の表示データを映像表示装置のアスペクト比に合わせて最適化するものであり、テレビ画面設定におけるアスペクト比の設定に関するものではない。
【０００９】
本発明は、上記のような課題を解決するためになされたもので、ユーザとの対話形式によりテレビ画面設定におけるインターレース／プログレッシブの設定およびアスペクト比の設定を行うことができる映像信号出力装置を提供することを目的とする。
【課題を解決するための手段】
【００１０】
上記目的を達成するために、請求項１の発明は、入力された映像信号をインターレース方式の映像信号またはプログレッシブ方式の映像信号に変換する映像信号変換回路と、この映像信号変換回路により変換された映像信号を表示装置に出力する映像出力回路とを備えた映像信号出力装置において、前記表示装置のテレビ画面設定に対応させるためインターレース／プログレッシブ設定およびアスペクト比設定の処理を対話形式で行う際、テレビ画面設定が完了したことを示すテレビ画面設定済フラグが立っていなく、前記表示装置のＤ端子対応ビデオ入力端子にＤ端子ケーブルを介してビデオ出力Ｄ端子が接続されていることを示すＤ端子接続判別ポートがローレベルになっている場合に、インターレース／プログレッシブ選択画面を前記表示装置に表示させるインターレース／プログレッシブ選択画面表示手段と、前記インターレース／プログレッシブ選択画面が表示された後、所定時間内にプログレッシブ設定が選択された場合は、前記映像出力回路のビデオ出力をプログレッシブに設定し、所定時間内にプログレッシブ設定が選択されない場合は、前記映像出力回路のビデオ出力をインターレースに設定するインターレース／プログレッシブ設定手段と、前記インターレース／プログレッシブ設定が完了した後、あるいは前記Ｄ端子接続判別ポートがハイレベルになっている場合に、前記表示装置に対するアスペクト比を設定するためのアスペクト比設定画面を前記表示装置に表示させるアスペクト比設定画面表示手段と、前記アスペクト比の設定処理が開始して、所定時間内であればアスペクト比が１６：９のテスト映像を前記表示装置に表示させるテスト映像表示手段と、前記テスト映像の中央に表示されている図形が円であることが選択された場合には、アスペクト比が１６：９のワイド画面に設定し、前記所定時間を超えた場合、あるいは前記テスト映像の中央に表示されている図形が楕円であることが選択された場合には、アスペクト比が４：３のレターボックス画面に設定するアスペクト比設定手段と、前記テレビ画面設定が完了したときに、前記テレビ画面設定済フラグを立てるフラグ設定手段とを有する制御部を備えたことを特徴とする映像信号出力装置を提供する。
【００１１】
この構成において、テレビ画面設定がされていなくて、テレビ設定済フラグが立っていなく、Ｄ端子接続判別ポートがローレベルである場合は、ビデオ出力Ｄ端子はＤ端子ケーブルを介して表示装置のＤ端子対応ビデオ入力端子に接続されていることになるので、インターレース／プログレッシブ選択画面表示手段は、インターレース／プログレッシブ選択画面を表示装置に表示させようとする。しかし、この場合、テレビ画面設定の最初は、映像出力回路はプログレッシブ方式の映像信号を出力しているので、表示装置がインターレース方式を採用している表示装置であれば、インターレース／プログレッシブ選択画面は表示されない。
【００１２】
一方、表示装置がプログレッシブ方式を採用している表示装置であれば、インターレース／プログレッシブ選択画面が表示され、所定時間内にプログレッシブが選択されると、映像出力回路はプログレッシブ方式に設定されるが、所定時間を過ぎた場合は、映像出力回路はインターレース方式に設定される。
【００１３】
インターレース／プログレッシブ選択画面に対する処理が終了した場合、あるいはＤ端子接続判別ポートがハイレベルでＤ端子接続されていない場合は、アスペクト比設定画面の処理に移る。
【００１４】
アスペクト比の設定処理がスタートしてから所定時間内であると、テスト映像表示手段は、テスト映像（アスペクト比１６：９の映像）を表示装置に出力する。このテスト映像において、中央に表示されている図形が楕円であるとユーザによって判断され、楕円であることが選択されると、アスペクト比設定手段は、アスペクト比が４：３のレターボックスに表示装置の画面を設定する。前記図形が円とユーザによって判断され、円であることが選択されると、アスペクト比設定手段は、アスペクト比が１６：９のワイドに表示装置の画面を設定する。
【００１５】
以上の処理でアスペクト比の設定が終了し、フラグ設定手段は、テレビ画面設定済フラグを立てる。これにより、映像信号出力装置のＡＣ電源がＡＣコンセントから切れた場合でも、再度、テレビ画面設定処理を実行しなくても良いようになる。
【００１６】
この構成によれば、映像信号出力装置を搭載した再生装置を、最初にテレビジョン受像機などの表示装置に接続し、電源を入れたときに、ユーザとの対話形式によりテレビ画面設定におけるインターレース／プログレッシブの設定およびアスペクト比の設定を行うことができるので、ユーザにとっては優しいテレビ画面設定ができ、また、一度設定したら、再び設定することはないので、使い勝手が良くなる。
【００１７】
請求項２の発明は、入力された映像信号をインターレース方式の映像信号またはプログレッシブ方式の映像信号に変換する映像信号変換回路と、この映像信号変換回路により変換された映像信号を表示装置に出力する映像出力回路とを備えた映像信号出力装置において、前記表示装置のテレビ画面設定に対応させるためインターレース／プログレッシブ設定およびアスペクト比設定の処理を対話形式で行う際、テレビ画面設定が完了したことを示すテレビ画面設定済フラグが立っていなく、前記表示装置の所定のビデオ入力端子にケーブルを介して所定のビデオ出力端子が接続されていることを示す端子接続判別ポートが一方のレベルになっている場合に、インターレース／プログレッシブ選択画面を前記表示装置に表示させるインターレース／プログレッシブ選択画面表示手段と、前記インターレース／プログレッシブ選択画面によりインターレース／プログレッシブ設定が完了した後、あるいは前記端子接続判別ポートが他方のレベルになっている場合に、前記表示装置に対するアスペクト比を設定するためのアスペクト比設定画面を前記表示装置に表示させるアスペクト比設定画面表示手段と、前記アスペクト比設定画面によりアスペクト比が設定され、前記テレビ画面設定が完了したときに、前記テレビ画面設定済フラグを立てるフラグ設定手段とを有する制御部を備えたことを特徴とする映像信号出力装置を提供する。
【００１８】
この構成において、テレビ画面設定がされていなくテレビ設定済フラグが立っていなく、端子接続判別ポートが一方のレベルである場合は、所定のビデオ出力端子はケーブルを介して表示装置の所定のビデオ入力端子に接続されていることになるので、インターレース／プログレッシブ選択画面表示手段は、インターレース／プログレッシブ選択画面を表示装置に表示させようとする。しかし、この場合、テレビ画面設定の最初は、映像出力回路はプログレッシブ方式の映像信号を出力しているので、表示装置がインターレース方式を採用している表示装置であれば、インターレース／プログレッシブ選択画面は表示されない。
【００１９】
プログレッシブ方式の表示装置では、インターレース／プログレッシブ選択画面が表示されるので、インターレース／プログレッシブ選択画面に対する処理を行って完了した場合、あるいは端子接続判別ポートが他方のレベルで端子接続されていない場合は、アスペクト比設定画面表示手段によるアスペクト比設定画面の処理に移る。アスペクト比の設定が終了すると、フラグ設定手段は、テレビ設定済フラグを立てる。これにより、映像信号出力装置のＡＣ電源がＡＣコンセントから切れた場合でも、再度、テレビ画面設定処理を実行しなくても良いようになる。
【００２０】
この構成によれば、映像信号出力装置を搭載した再生装置を、最初にテレビジョン受像機などの表示装置に接続し、電源を入れたときに、ユーザとの対話形式によりテレビ画面設定におけるインターレース／プログレッシブの設定およびアスペクト比の設定を行うことができるので、ユーザにとっては優しいテレビ画面設定ができ、また、一度設定したら、再び設定することはないので、使い勝手が良くなる。
【００２１】
請求項３の発明では、請求項２の発明において、前記表示装置の所定のビデオ入力端子にケーブルを介して所定のビデオ出力端子が接続されていることを示す端子接続判別ポートが一方のレベルになっている場合とは、前記表示装置のＤ端子対応ビデオ入力端子にＤ端子ケーブルを介してビデオ出力Ｄ端子が接続されていることを示すＤ端子接続判別ポートがローレベルになっている場合であり、前記端子接続判別ポートが他方のレベルになっている場合とは、前記Ｄ端子接続判別ポートがハイレベルになっている場合であるので、Ｄ端子規格を有する再生装置および表示装置に対応することができる。
【００２２】
請求項４の発明では、請求項３の発明において、前記制御部は、前記インターレース／プログレッシブ選択画面が表示された後、所定時間内にプログレッシブ設定が選択された場合は、前記映像出力回路のビデオ出力をプログレッシブに設定し、所定時間内にプログレッシブ設定が選択されない場合は、前記映像出力回路のビデオ出力をインターレースに設定するインターレース／プログレッシブ設定手段と、前記アスペクト比の設定処理が開始して、所定時間内であればアスペクト比が１６：９のテスト映像を前記表示装置に表示させるテスト映像表示手段と、前記テスト映像の中央に表示されている図形が円であることが選択された場合には、アスペクト比が１６：９のワイド画面に設定し、前記所定時間を超えた場合、あるいは前記テスト映像の中央に表示されている図形が楕円であることが選択された場合には、アスペクト比が４：３のレターボックス画面に設定するアスペクト比設定手段とを有するので、インターレース／プログレッシブ設定およびアスペクト比設定を対話形式で間違いなく行うことが可能になる。
【発明の効果】
【００２３】
以上のように本発明によれば、入力された映像信号をインターレース方式の映像信号またはプログレッシブ方式の映像信号に変換する映像信号変換回路と、この映像信号変換回路により変換された映像信号を表示装置に出力する映像出力回路とを備えた映像信号出力装置において、前記表示装置のテレビ画面設定に対応させるためインターレース／プログレッシブ設定およびアスペクト比設定の処理を対話形式で行う際、テレビ画面設定が完了したことを示すテレビ画面設定済フラグが立っていなく、前記表示装置のＤ端子対応ビデオ入力端子にＤ端子ケーブルを介してビデオ出力Ｄ端子が接続されていることを示すＤ端子接続判別ポートがローレベルになっている場合に、インターレース／プログレッシブ選択画面を前記表示装置に表示させるインターレース／プログレッシブ選択画面表示手段と、前記インターレース／プログレッシブ選択画面が表示された後、所定時間内にプログレッシブ設定が選択された場合は、前記映像出力回路のビデオ出力をプログレッシブに設定し、所定時間内にプログレッシブ設定が選択されない場合は、前記映像出力回路のビデオ出力をインターレースに設定するインターレース／プログレッシブ設定手段と、前記インターレース／プログレッシブ設定が完了した後、あるいは前記Ｄ端子接続判別ポートがハイレベルになっている場合に、前記表示装置に対するアスペクト比を設定するためのアスペクト比設定画面を前記表示装置に表示させるアスペクト比設定画面表示手段と、前記アスペクト比の設定処理が開始して、所定時間内であればアスペクト比が１６：９のテスト映像を前記表示装置に表示させるテスト映像表示手段と、前記テスト映像の中央に表示されている図形が円であることが選択された場合には、アスペクト比が１６：９のワイド画面に設定し、前記所定時間を超えた場合、あるいは前記テスト映像の中央に表示されている図形が楕円であることが選択された場合には、アスペクト比が４：３のレターボックス画面に設定するアスペクト比設定手段と、前記テレビ画面設定が完了したときに、前記テレビ画面設定済フラグを立てるフラグ設定手段とを有する制御部を備えたので、映像信号出力装置を搭載した再生装置を、最初にテレビジョン受像機などの表示装置に接続し、電源を入れたときに、ユーザとの対話形式によりテレビ画面設定におけるインターレース／プログレッシブの設定およびアスペクト比の設定を行うことができ、これにより、ユーザにとっては優しいテレビ画面設定ができ、また、一度設定したら、再び設定することはないので、使い勝手が良くなる。
【００２４】
また、本発明によれば、入力された映像信号をインターレース方式の映像信号またはプログレッシブ方式の映像信号に変換する映像信号変換回路と、この映像信号変換回路により変換された映像信号を表示装置に出力する映像出力回路とを備えた映像信号出力装置において、前記表示装置のテレビ画面設定に対応させるためインターレース／プログレッシブ設定およびアスペクト比設定の処理を対話形式で行う際、テレビ画面設定が完了したことを示すテレビ画面設定済フラグが立っていなく、前記表示装置の所定のビデオ入力端子にケーブルを介して所定のビデオ出力端子が接続されていることを示す端子接続判別ポートが一方のレベルになっている場合に、インターレース／プログレッシブ選択画面を前記表示装置に表示させるインターレース／プログレッシブ選択画面表示手段と、前記インターレース／プログレッシブ選択画面によりインターレース／プログレッシブ設定が完了した後、あるいは前記端子接続判別ポートが他方のレベルになっている場合に、前記表示装置に対するアスペクト比を設定するためのアスペクト比設定画面を前記表示装置に表示させるアスペクト比設定画面表示手段と、前記アスペクト比設定画面によりアスペクト比が設定され、前記テレビ画面設定が完了したときに、前記テレビ画面設定済フラグを立てるフラグ設定手段とを有する制御部を備えたので、映像信号出力装置を搭載した再生装置を、最初にテレビジョン受像機などの表示装置に接続し、電源を入れたときに、ユーザとの対話形式によりテレビ画面設定におけるインターレース／プログレッシブの設定およびアスペクト比の設定を行うことができ、これにより、ユーザにとっては優しいテレビ画面設定ができ、また、一度設定したら、再び設定することはないので、使い勝手が良くなる。
【発明を実施するための最良の形態】
【００２５】
以下、添付図面を参照しつつ、本発明の実施の形態について説明する。図１は本発明の一実施形態に係る映像信号出力装置を搭載した再生装置の構成を示すブロック図である。
【００２６】
この再生装置は、フロントエンドブロック（以下ＦＥブロックという）２と映像信号出力装置１とを含み構成されている。映像信号出力装置１は、ＡＶデコーダに含まれる映像信号変換回路３と、映像出力回路４とから構成されている。ＦＥブロック２は、ハードディスクにＭＰＥＧフォーマットで記録された映像信号を読み出すＨＤＤ（ハードディスクドライブ）部２１と、ＤＶＤにＭＰＥＧフォーマットで記録された映像信号を読み出すＤＶＤドライブ部２２と、ＨＤＤ部２１からの読出し信号またはＤＶＤドライブ部２２からの読出し信号のどちらかを選択して出力する信号選択出力部２３とを備えている。
【００２７】
映像信号変換回路３は、前記信号選択出力部２３で選択されたＨＤＤ部２１からの読出し信号またはＤＶＤドライブ部２２からの読出し信号をＭＰＥＧフォーマットに複号化するＭＰＥＧデコーダ３１と、このＭＰＥＧデコーダ３１からの映像信号を切り替えて出力する切替部３２と、この切替部３２により切り替えられて入力された映像信号を変換してプログレッシブ方式の映像信号を生成するプログレッシブ信号生成回路３３と、切替部３２により切り替えられて入力された映像信号を変換してインターレース方式の映像信号を生成するインターレース信号生成回路３４と、プログレッシブ信号生成回路３３またはインターレース信号生成回路３４からの映像信号のＶＢＩ（垂直帰線消去期間）にアスペクト比信号などを重畳させるＶＢＩ多重回路３５と、この再生装置全体を制御するＣＰＵ３６と、このＣＰＵ３６の処理に必要なデータを格納するメモリ３７とを備えている。
【００２８】
映像出力回路４は、ＶＢＩ多重回路３５から出力された映像信号を図示しないＤ端子ケーブルを介して表示装置５のＤ端子対応ビデオ入力端子に与える。これにより、ハードディスクまたはＤＶＤに記録された映像信号が表示装置５で映像化される。
【００２９】
ここで、映像信号出力装置３のＣＰＵ３６の基本的な動作について説明する。図示しないリモコンによりハードディスクモードに設定されると、ＣＰＵ３６は、信号選択出力部２３のスイッチ２３ａをＨＤＤ部２１側に切り替え、同じくリモコンによりＤＶＤモードに設定されると、信号選択出力部２３のスイッチ２３ａをＤＶＤドライブ部２２側に切り替える。インターレース／プログレッシブ判別確認画面（以下、ｉ／ｐ判別確認画面という）でインターレースに設定された場合は、切替部３２のスイッチ３２ａをインターレース信号生成回路３４側に切り替え、プログレッシブに設定された場合は、切替部３２のスイッチ３２ａをプログレッシブ信号生成回路３３側に切り替える。なお、最初に、ｉ／ｐ判別のテスト映像を表示装置５に表示させるときは、切替部３２は、プログレッシブ信号生成回路３３を選択するように設定され、プログレッシブ方式でテスト映像を表示装置５に表示させる。
【００３０】
また、ＣＰＵ３６は、例えば、ＮＴＳＣ方式であれば５２５本の走査線のうち、２０番目の走査線にアスペクト比を示すビット信号であるアスペクト比信号をインターレース信号生成回路３４またはプログレッシブ信号生成回路３３からの映像信号に重畳させる。また、ＣＰＵ３６は、アスペクト比識別信号（ラインＬ２の信号）を映像出力回路４に与える。アスペクト比識別信号は、アスペクト比が１６：９のワイドの場合には電圧が５Ｖになり、アスペクト比が４：３のレターボックスの場合には電圧が２．２Ｖになり、アスペクト比が４：３のパン・アンド・スキャンまたはスタンダードの場合には電圧が０Ｖになる。
【００３１】
また、ＣＰＵ３６は、映像出力回路４からの接続有無信号をビデオ出力Ｄ端子の接続判別ピンで入力して、ビデオ出力Ｄ端子にはＤ端子ケーブルを介して表示装置５のＤ端子対応ビデオ入力端子が接続されているか否かを判別する。ビデオ出力Ｄ端子に何も接続されていない場合は、ビデオ出力Ｄ端子の接続判別ピンは５Ｖにプルアップされているので、そのビデオ出力Ｄ端子の接続判別ピン（ラインＬ１に接続されたピン）の電位は５Ｖ（ハイレベル）になり、ビデオ出力Ｄ端子にＤ端子ケーブルを介して表示装置５のＤ端子対応ビデオ入力端子が接続された場合は、ビデオ出力Ｄ端子の接続判別ピンは、グラウンドに落ちて、その電位は０Ｖ（ローレベル）になる。
【００３２】
ビデオ出力Ｄ端子は、前記接続判別ピン以外に、コンポーネント映像信号出力用の輝度信号出力用のピンおよび色差信号出力用の２個のピン、アスペクト比識別信号出力用のピン、ｉ／ｐを判別するための判別信号出力用のピン、グラウンド用のピンなど、複数の接続ピンを有している。このようなビデオ出力Ｄ端子は、例えば、規格ＥＩＡＪＣＰ−４１２０で決められており、このビデオ出力Ｄ端子の１４番目のピンが接続判別ピンとして用いられている。このＤ端子接続の判別は、日本向けのみであり、北米などではＤ端子ではないコンポーネント出力仕様の場合は、ＯＳＤなどでユーザにコンポーネントを使用しているかを確認するメッセージ表示が必要となる。
【００３３】
また、ＣＰＵ３６は、本実施形態の特徴として、表示装置５のテレビ画面設定に対応させるためインターレース／プログレッシブ設定およびアスペクト比設定の処理を対話形式で行う際、テレビ画面設定が完了したことを示すテレビ画面設定済フラグが立っていなく、表示装置５のＤ端子対応ビデオ入力端子にＤ端子ケーブルを介してビデオ出力Ｄ端子が接続されていることを示すＤ端子接続判別ポート（Ｄ端子接続判別ピン）がローレベルになっている場合に、インターレース／プログレッシブ選択画面を表示装置５に表示させるインターレース／プログレッシブ選択画面表示手段と、前記インターレース／プログレッシブ選択画面が表示された後、所定時間内にプログレッシブ設定が選択された場合は、映像出力回路４のビデオ出力をプログレッシブに設定し、所定時間内にプログレッシブ設定が選択されない場合は、前記映像出力回路のビデオ出力をインターレースに設定するインターレース／プログレッシブ設定手段と有する制御部の機能を含んでいる。
【００３４】
また、ＣＰＵ３６は、前記インターレース／プログレッシブ設定が完了した後、あるいは前記Ｄ端子接続判別ポートがハイレベルになっている場合に、表示装置５に対するアスペクト比を設定するためのアスペクト比設定画面を表示装置５に表示させるアスペクト比設定画面表示手段と、前記アスペクト比の設定処理が開始して、所定時間内であれば、アスペクト比が１６：９のテスト映像を表示装置５に表示させるテスト映像表示手段と、前記テスト映像の中央に表示されている図形が円であることが選択された場合には、アスペクト比が１６：９のワイド画面に設定し、前記所定時間を超えた場合、あるいは前記テスト映像の中央に表示されている図形が楕円であることが選択された場合には、アスペクト比が４：３のレターボックス画面に設定するアスペクト比設定手段と、前記テレビ画面設定が完了したときに、前記テレビ画面設定済フラグを立てるフラグ設定手段とを有する制御部の機能を含んでいる。
【００３５】
図２は本実施形態において対話形式でテレビ画面設定を行う全体の流れを示すフローチャートである。図３は本実施形態においてインターレース／プログレッシブ判別確認画面の一例図である。このフローチャートおよび図１および図３を参照して対話形式でテレビ画面設定を行う全体の流れを説明する。
【００３６】
ＴＶ画面設定処理がスタートし、ＣＰＵ３６は、ＴＶ画面設定済フラグが立っていないかを判定する（ステップＳ１）。通常、ＴＶ画面設定されている場合は、ＴＶ画面設定（ｉ／ｐ設定、アスペクト比設定）に関する設定値をメモリ３７に設定しておくが、この設定値が設定済か未設定かを、ＴＶ画面設定済フラグが立っているか立っていないかを示すＴＶ画面設定済フラグ（ＴＶ画面設定済フラグのオン／オフ）もメモリ３７に記憶させておく。映像信号出力装置１および表示装置５に電源を投入して、映像信号出力装置１および表示装置５を動作させたときに、前記ＴＶ画面設定がされているかされていなかを検出するために、ステップＳ１の処理が行われる。したがって、ＴＶ画面設定済フラグが立っていてＴＶ画面設定が既に完了している場合は、本処理であるＴＶ画面設定処理は終了する。
【００３７】
ＴＶ画面設定がされていなくＴＶ画面設定済フラグが立っていない場合は、ｉ／ｐ設定に入るが、その前に、ＣＰＵ３６は、Ｄ端子接続判別ポート（前記Ｄ端子接続判別ピン）の電位は０ＶでＬレベル（ローレベル）であるか否かを判定する（ステップＳ２）。Ｄ端子接続判別ポート（前記Ｄ端子接続判別ピン）の電位が０ＶでＬレベル（ローレベル）であると判定された場合は、ビデオ出力Ｄ端子はＤ端子ケーブルを介して表示装置５のＤ端子対応ビデオ入力端子に接続されていることになるので、ステップＳ３に移り、ＣＰＵ３６のインターレース／プログレッシブ選択画面表示手段は、ｉ／ｐ選択画面（例えば図３に示すようなｉ／ｐ判別確認画面）を表示装置５に表示させようとする。
【００３８】
しかし、この場合、前述したように、ＴＶ画面設定の最初は、映像出力回路４はプログレッシブ方式の映像信号を出力しているので、表示装置５がインターレース方式を採用している表示装置であれば、図３に示すようなｉ／ｐ判別確認画面は表示されない。
【００３９】
図４は図２に示すｉ／ｐ選択画面に対する処理（映像出力回路４に対するビデオ出力のインターレースの設定処理あるいはプログレッシブの設定処理）を示すフローチャートである。このフローチャートを参照してｉ／ｐ選択画面に対する処理を説明する。
【００４０】
図３に示すようなｉ／ｐ判別確認画面において、ＣＰＵ３６のインターレース／プログレッシブ選択画面表示手段は、プログレッシブ出力確認前に例えば「この文字が見えますか？」というメッセージを表示装置５に表示する（ステップＳ６）。そして、メッセージが表示されてからの経過時間ｔが所定時間Ｔ内であるか否かを判定する。この例の場合、所定時間Ｔが５秒であるので、ｉ／ｐ判別確認画面が表示されてからの残り時間が５秒であり、ユーザがリモコン操作により５秒内に「Ｙｅｓ」を選択すると、ＣＰＵ３６のインターレース／プログレッシブ設定手段は、映像出力回路４のビデオ出力をプログレッシブに設定する。即ち、経過時間ｔが所定時間Ｔ（５秒）内で（ステップＳ７）、プログレッシブ出力確認画面表示（表示が見えるかの確認メッセージの表示）を行い（ステップＳ８）、リモコンのエンタ−キーを押下して「Ｙｅｓ」が選択されたときに（ステップＳ９）、映像信号出力装置１のビデオ出力（映像出力回路４の出力）をプログレッシブに設定する（ステップＳ１０）。
【００４１】
一方、「Ｙｅｓ」を選択せずに、所定時間Ｔ（５秒）を過ぎた場合、あるいはＴＶ画面設定の最初は、映像出力回路４はプログレッシブ方式の映像信号を出力しており、表示装置５がインターレース方式を採用している場合、図３に示すようなｉ／ｐ判別確認画面を表示できないので、この場合は、ＣＰＵ３６のインターレース／プログレッシブ選択画面表示手段は、映像出力回路４のビデオ出力をインターレースに設定する（ステップＳ１１）。
【００４２】
以上の処理により、映像出力回路４に対するビデオ出力のインターレースの設定処理あるいはプログレッシブの設定処理が終了する。
【００４３】
ｉ／ｐ選択画面に対する処理が終了した場合（図２のステップＳ３）、あるいはＤ端子接続判別ポートがＨレベルでＤ端子接続されていない場合は（図２のステップＳ２）、ＴＶアスペクト比設定画面の処理に移る（図２のステップＳ４）。
【００４４】
図５は図２に示すＴＶアスペクト比設定画面の処理を示すフローチャートである。図６は本実施形態においてアスペクト比が１６：９で表示されたテスト映像のＴＶアスペクト比確認画面の一例図である。詳しくは図６（１）はメッセージが表示される前のＴＶアスペクト比確認画面図であり、図６（２）はメッセージが表示されたＴＶアスペクト比確認画面図である。このフローチャートおよび図６を参照してＴＶアスペクト比設定画面の処理について説明する。
【００４５】
ＴＶアスペクト比の設定処理がスタートしてからの経過時間ｔが所定時間Ｔ以下であると、ＣＰＵ３６が判定した場合に（ステップＳ１２）、ＣＰＵ３６のテスト映像表示手段は、図６（１）に示すようなテスト映像（アスペクト比１６：９）を表示装置５に出力し（ステップＳ１３）、更に、図６（２）に示すように表示画面サイズの確認メッセージとして例えば「中央の円は楕円で表示されていますか？」というメッセージも表示する（ステップＳ１４）。
【００４６】
但し、アスペクト比が４：３のパン・アンド・スキャンの場合は、アスペクト比が１６：９の映像を縮小せずに左右を切り取って表示するので、図６に示すＴＶアスペクト比確認画面の四隅の小さい円は表示されない。アスペクト比が４：３のスタンダードの場合は、アスペクト比が１６：９の映像を縮小して表示するので、図６に示すＴＶアスペクト比確認画面の四隅の小さい円は表示され、図７（１）に示すように中央の円は、図７（２）に示すように楕円になる。
【００４７】
ここで、ＣＰＵ３６は、図６（２）に示すＴＶアスペクト比確認画面において「Ｙｅｓ」または「Ｎｏ」を選択する操作がユーザのリモコン操作によってされたか否かを判定し（ステップＳ１５）、選択操作がされたと判定され、「Ｙｅｓ」が選択されて楕円と判断されたか否かを判定する（ステップＳ１６）。「Ｙｅｓ」が選択されて楕円と判断されたと判定した場合、ＣＰＵ３６のアスペクト比設定手段は、アスペクト比が４：３のレターボックスに表示装置５の画面を設定する（ステップＳ１８）。「Ｎｏ」が選択されて円と判断されたと判定した場合は、ＣＰＵ３６のアスペクト比設定手段は、アスペクト比が１６：９のワイドに表示装置５の画面を設定する（ステップＳ１７）。前記レターボックスの画面とは、１６：９の映像を４：３の画面に映すために、水平と垂直を同率に縮小し、画面の余った上下の部分に黒の映像を入れて表示するものである。
【００４８】
以上の処理でＴＶアスペクト比の設定が終了し、ＣＰＵ３６のフラグ設定手段は、ｉ／ｐの設定およびＴＶアスペクト比の設定が完了したことを示すＴＶ画面設定済フラグを立て（図２のステップＳ５）、メモリ３７にＴＶ画面設定済フラグのオン状態とＴＶ画面設定済情報（ＴＶ画面設定で設定されたｉ／ｐおよびＴＶアスペクト比）を記憶させる。ＴＶ画面設定済フラグのオン状態とＴＶ画面設定済情報をメモリ３７に記憶させておくのは、映像信号出力装置１のＡＣ電源がＡＣコンセントから切れた場合でも、ＴＶ画面設定済フラグが立っていることによって、再度ＴＶ画面設定処理を実行しなくても良いようにするためである。なお、メモリ３７は、電源が切れてもデータを保持できるフラッシュＲＯＭなどの不揮発性メモリを使用するものとする。
【００４９】
なお、本実施形態において説明した全ての処理については、タイムアウトした場合は、デフォルト設定になるものとする。また、北米などＤ端子ではないコンポーネント出力仕様の場合は、ＯＳＤ（オン・スクリーン・ディスプレイ）処理などでユーザにコンポーネントを使用しているかを確認するメッセージ表示が必要となる。
【００５０】
以上説明したように本実施形態によれば、映像信号出力装置を搭載した再生装置を、最初にテレビジョン受像機などの表示装置に接続し、電源を入れたときに、ユーザとの対話形式によりテレビ画面設定におけるインターレース／プログレッシブの設定およびアスペクト比の設定を行うことができ、これにより、ユーザにとっては優しいテレビ画面設定ができ、また、一度設定したら、再び設定することはないので、使い勝手が良くなる。
【図面の簡単な説明】
【００５１】
【図１】本発明の一実施形態に係る映像信号出力装置を搭載した再生装置の構成を示すブロック図である。
【図２】前記実施形態において対話形式でテレビ画面設定を行う全体の流れを示すフローチャートである。
【図３】前記実施形態においてインターレース／プログレッシブ判別確認画面の一例図である。
【図４】図２に示すｉ／ｐ選択画面に対する処理を示すフローチャートである。
【図５】図２に示すＴＶアスペクト比設定画面の処理を示すフローチャートである。
【図６】前記実施形態においてアスペクト比が１６：９で表示されたテスト映像のＴＶアスペクト比確認画面の一例図である。
【図７】前記実施形態においてアスペクト比が１６：９で表示された映像をアスペクト比が４：３で表示した場合の例を示すＴＶアスペクト比確認画面の一例図である。
【符号の説明】
【００５２】
１    映像信号出力装置
３    映像信号変換回路
４    映像出力回路
５    表示装置
３６    ＣＰＵ（制御部）
【図１】
2007134944.tif 000003
【図２】
2007134944.tif 000004
【図３】
2007134944.tif 000005
【図４】
2007134944.tif 000006
【図５】
2007134944.tif 000007
【図６】
2007134944.tif 000008
【図７】
2007134944.tif 000009